(57)【要約】【課題】拡散板を支持する支持部材に起因する表示画面の輝度ムラを抑制することが可能な直下型のバックライトを備える表示装置を提供する。【解決手段】表示装置は、表示パネルの背面側に配置される光源と、前記光源に対向して配置される拡散板と、前記拡散板を当該拡散板の背面側から支持する支持部材と、前記光源、前記拡散板及び前記支持部材を収容するバックライトシャーシと、を備え、前記支持部材は、前記光源から出射される光を透過する透光部と、前記拡散板の近傍に配置され、前記光源から入射される光を外部に拡散して出射する拡散部と、を備える。【選択図】図４
2020181694.tif 000002
【特許請求の範囲】
【請求項１】
表示パネルの背面側に配置される光源と、
前記光源に対向して配置される拡散板と、
前記拡散板を当該拡散板の背面側から支持する支持部材と、
前記光源、前記拡散板及び前記支持部材を収容するバックライトシャーシと、
を備え、
前記支持部材は、前記光源から出射される光を透過する透光部と、前記拡散板の近傍に配置され、前記光源から入射される光を外部に拡散して出射する拡散部と、を備える表示装置。
【請求項２】
前記透光部は、前記表示パネルの表示面に垂直な方向に延伸する第１垂直面及び第２垂直面と、前記拡散板側から前記バックライトシャーシ側に向けて広がるように延伸する第１傾斜面及び第２傾斜面とを含み、
前記支持部材は、前記表示装置を平面的に見て、前記第１垂直面及び前記第２垂直面が、隣り合う２つの前記光源を結ぶ直線に直交する位置に配置されている、
請求項１に記載の表示装置。
【請求項３】
前記拡散部は、前記第１傾斜面及び前記第２傾斜面のそれぞれにおける、前記拡散板の近傍に配置されている、
請求項２に記載の表示装置。
【請求項４】
前記透光部は、前記拡散板側に向けて先細状に形成されている、
請求項２又は請求項３に記載の表示装置。
【請求項５】
前記第１垂直面、前記第２垂直面、前記第１傾斜面、及び前記第２傾斜面よりも前記バックライトシャーシ側の位置に反射シートが配置されている、
請求項２から請求項４のいずれか１項に記載の表示装置。
【請求項６】
前記支持部材は、さらに、前記バックライトシャーシに取り付けられる取付面と、前記取付面の上層に配置される反射層とを含む、
請求項５に記載の表示装置。
【請求項７】
前記反射シートには開口部が形成されており、
前記第１垂直面、前記第２垂直面、前記第１傾斜面、及び前記第２傾斜面は、前記開口部から前記拡散板側に突出して配置されており、
前記取付面は、前記反射シートよりも前記バックライトシャーシ側に配置されている、
請求項６に記載の表示装置。
【請求項８】
前記反射層は、前記反射シートよりも前記バックライトシャーシ側に配置され、かつ前記開口部から露出するように配置されている、
請求項７に記載の表示装置。
【請求項９】
前記支持部材は、隣り合う２つの前記光源を最短距離で結ぶ直線上に配置されている、
請求項１から請求項８のいずれか１項に記載の表示装置。
【請求項１０】
前記拡散部は、前記透光部の一部に粗面加工を施すことにより形成される、
請求項１から請求項９のいずれか１項に記載の表示装置。
【発明の詳細な説明】
【技術分野】
【０００１】
本発明は、直下型のバックライトを備える表示装置に関する。
【背景技術】
【０００２】
従来、複数の光源（ＬＥＤ）が表示パネルの背面側に配置された直下型のバックライトを備えた表示装置が知られている。また、直下型のバックライトを備えた表示装置において、光源に対向配置される拡散板の変形を抑制するために、拡散板を背面側から支持する支持部材（サポートピン）を光源の間に配置する技術が提案されている（例えば特許文献１参照）。
【先行技術文献】
【特許文献】
【０００３】
【特許文献１】特開２０１４−１３６９０号公報
【発明の概要】
【発明が解決しようとする課題】
【０００４】
しかし、前記従来の技術では、光源の数が減少したり、表示装置及びバックライトが薄型になると、表示画面において、支持部材の位置に対応する領域（直上）に影が出現し、輝度ムラが発生する問題が生じる。今後、ＬＥＤの性能の向上に伴う光源数の削減、表示装置の薄型化などにより、前記輝度ムラの問題が顕著になることが予想される。
【０００５】
本発明の目的は、拡散板を支持する支持部材に起因する表示画面の輝度ムラを抑制することが可能な直下型のバックライトを備える表示装置を提供することにある。
【課題を解決するための手段】
【０００６】
本発明の一の態様に係る表示装置は、表示パネルの背面側に配置される光源と、前記光源に対向して配置される拡散板と、前記拡散板を当該拡散板の背面側から支持する支持部材と、前記光源、前記拡散板及び前記支持部材を収容するバックライトシャーシと、を備え、前記支持部材は、前記光源から出射される光を透過する透光部と、前記拡散板の近傍に配置され、前記光源から入射される光を外部に拡散して出射する拡散部と、を備える。
【発明の効果】
【０００７】
本発明によれば、拡散板を支持する支持部材に起因する表示画面の輝度ムラを抑制することが可能である。
【図面の簡単な説明】
【０００８】
【図１】図１は、本発明の実施形態に係る表示装置の全体構成を示す分解斜視図である。
【図２】図２は、本発明の実施形態に係る表示装置の構成を示す断面図である。
【図３】図３は、本発明の実施形態に係る表示装置における光源及び支持部材の配置位置を示す平面図である。
【図４】図４は、本発明の実施形態に係る表示装置における支持部材の構成を示す斜視図である。
【図５】図５は、本発明の実施形態に係る表示装置の一部の構成を示す側面図である。
【図６】図６は、本発明の実施形態に係る表示装置における光の伝播の様子を示す図である。
【図７】図７は、本発明の実施形態に係る表示装置の一部の構成を示す側面図である。
【図８Ａ】図８Ａは、本発明の実施例１に係る拡散部の構成を示す側面図である。
【図８Ｂ】図８Ｂは、本発明の実施例１に係る拡散部の構成を示す正面図である。
【図９Ａ】図９Ａは、本発明の実施例２に係る拡散部の構成を示す側面図である。
【図９Ｂ】図９Ｂは、本発明の実施例２に係る拡散部の構成を示す正面図である。
【図１０Ａ】図１０Ａは、本発明の実施例３に係る拡散部の構成を示す側面図である。
【図１０Ｂ】図１０Ｂは、本発明の実施例３に係る拡散部の構成を示す正面図である。
【図１１Ａ】図１１Ａは、本発明の実施例４に係る拡散部の構成を示す側面図である。
【図１１Ｂ】図１１Ｂは、本発明の実施例４に係る拡散部の構成を示す正面図である。
【発明を実施するための形態】
【０００９】
以下、添付図面を参照しながら、本発明の実施形態について説明する。尚、以下の実施形態は、本発明を具体化した一例であって、本発明の技術的範囲を限定する性格を有さない。
【００１０】
本発明の表示装置は、複数の光源（ＬＥＤ）が表示パネルの背面側に配置された直下型のバックライトを備えた表示装置である。図１は、本発明の実施形態に係る表示装置１の全体構成を示す分解斜視図である。図２は、表示装置１の構成を示す断面図である。
【００１１】
表示装置１は、概略的には、表示領域に画像を表示する表示パネル１００と、表示パネル１００の背面側に配置されるバックライト２００と、表示パネル１００及びバックライト２００の周囲を囲み、表示装置１の外枠を構成するベゼル３００とを備えている。
【００１２】
表示パネル１００は、例えば液晶パネルである。尚、表示パネル１００は、液晶パネルに限定されず、バックライト２００を用いた看板であってもよい。また本発明は、表示パネル１００を含まず、バックライト２００を含む照明装置等であってもよい。表示パネル１００が例えば液晶パネルである場合、表示パネル１００には、第１方向（列方向）に延在する複数のデータ信号線（ソースライン）、第２方向（行方向）に延在する複数のゲート信号線（走査信号線）、各データ信号線及び各ゲート信号線の交差部近傍に配置される複数の薄膜トランジスタ（ＴＦＴ）、画素電極、共通電極（コモン電極）、液晶層等（いずれも図示せず）が含まれる。表示パネル１００は公知の技術を適用することができる。表示装置１は、表示パネル１００の前面に配置されるタッチパネル（図示せず）を備えてもよい。
【００１３】
バックライト２００は、表示パネル１００の背面側に配置される光学シート６１，６２と、光学シート６１，６２の背面側に配置される拡散板５０と、拡散板５０の背面側に配置される複数の光源２０（ＬＥＤ）と、拡散板５０を背面側から支持する複数の支持部材３０と、これらの各構成部材を収容するバックライトシャーシ１０と、を備えている。バックライトシャーシ１０は、背面板と、背面板の周囲から立ち上がる側板とを備え、内部空間を形成する。光源２０及び支持部材３０は、バックライトシャーシ１０の内部空間の内面に配置される。また、バックライトシャーシ１０の内面には反射シート４０が配置されている。ＬＥＤは、本発明の光源の一例である。
【００１４】
光源２０及び支持部材３０は、それぞれ、バックライトシャーシ１０に固定される。例えば、光源２０は基板２１に配置され、基板２１は取付部材（ビス、接着テープなど）によりバックライトシャーシ１０の内面に固定される。支持部材３０は、支持部材３０の背面に形成された接着層（接着テープなど）によりバックライトシャーシ１０の内面に接着固定される。
【００１５】
反射シート４０には、光源２０がバックライトシャーシ１０に配置される位置に対応する位置に開口部４１が形成されている。同様に、反射シート４０には、支持部材３０がバックライトシャーシ１０に配置される位置に対応する位置に開口部４２が形成されている。すなわち、反射シート４０を、光源２０及び支持部材３０が配置されたバックライトシャーシ１０の内面に被せたときに光源２０及び支持部材３０に接触する位置に、開口部４１，４２が形成されている。これにより、反射シート４０は、バックライトシャーシ１０の内面に接着固定される。光源２０の一部（出射部）は、開口部４１から表示パネル１００側に突出して配置され、支持部材３０の一部は、開口部４２から表示パネル１００側に突出して配置される。
【００１６】
図１に示すように、バックライト２００は、製造工程において、初めにバックライトシャーシ１０の内面上の所定の位置に光源２０（基板２１）と支持部材３０とを配置し、次に、反射シート４０を光源２０及び支持部材３０を開口部４１，４２に貫通させてバックライトシャーシ１０の内面上に配置し、次に、拡散板５０、光学シート６１，６２を順に配置することにより製造される。また表示装置１は、製造工程において、バックライト２００上に表示パネル１００を配置し、表示パネル１００を覆うようにベゼル３００を配置することにより製造される。
【００１７】
図３は、バックライトシャーシ１０に配置される光源２０及び支持部材３０を平面的に見た図である。図３では、バックライトシャーシ１０の一部の領域を示している。
【００１８】
光源２０は、バックライトシャーシ１０の内面上において、マトリクス状に等間隔に配置されている。具体的には、図３に示すように、光源２０は、バックライトシャーシ１０の内面上において、行方向及び列方向に間隔Ｌ１で配列されている。光源２０の数及び配置の間隔は特に限定されず、表示パネル１００の大きさ及び表示性能、光源２０の性能（輝度）などに基づいて決定される。
【００１９】
また光源２０は、図２に示すように、光の出射面が表示パネル１００の表示面に対して互いに略平行となるように配置されており、光源２０から出射される光の光軸（中心軸）が前記表示面に略垂直となっている。すなわち、バックライト２００は、直下型バックライトの構成を有している。
【００２０】
支持部材３０は、バックライトシャーシ１０の内面上において、所定の間隔で千鳥状に配置されている。例えば図３に示すように、支持部材３０は、行方向に隣り合う光源２０の中心（間隔Ｌ２）の位置に配置されている。支持部材３０の数は限定されず、拡散板５０の大きさ、厚み、重量、熱などの影響による撓み量に応じて決定される。支持部材３０の詳細な構成は後述する。
【００２１】
拡散板５０は、光源２０から出射された光を光学シート６１へ向けて拡散させる。拡散板５０は、光学シート６１から所定の距離をあけて配置されており、拡散板５０の背面が支持部材３０に支持されている。光学シート６１，６２は、拡散板５０で拡散された光を集光して表示パネル１００に向けて出射する。
【００２２】
［支持部材３０］
図４は支持部材３０の構成を示す斜視図である。支持部材３０は、基材３１と、基材３１上に形成された支持ピン３２と、基材３１の背面に設けられた第１接着層３３と、第１接着層３３の背面に設けられた反射層３４と、反射層３４の背面に設けられた第２接着層３５とを備えている。支持ピン３２は、本発明の透光部の一例である。反射層３４は、本発明の反射層の一例である。第２接着層３５は、本発明の取付面の一例である。
【００２３】
基材３１及び支持ピン３２は、光（光源２０から出射される光）を透過する透光性材料により形成されている。例えば、基材３１及び支持ピン３２は、透光性樹脂（透明樹脂）により形成されている。基材３１及び支持ピン３２は、一体に形成されてもよいし、別体に形成されて互いに接着固定されてもよい。
【００２４】
反射層３４は、第２接着層３５の上層かつ第１接着層３３の下層に配置され、第１接着層３３により基材３１に接着固定される。支持部材３０は、第２接着層３５によりバックライトシャーシ１０に接着固定される。例えば、バックライト２００の製造工程において、作業者が、バックライトシャーシ１０の内面上の所定の位置に、支持部材３０の第２接着層３５を接着させることにより支持部材３０を接着固定させる。
【００２５】
支持ピン３２は、全体的に基材３１側から先端側（拡散板５０側）に向かって先細状に形成されている。また支持ピン３２は、表示パネル１００の表示面に垂直な方向に延伸する第１垂直面３２Ａと、第１垂直面３２Ａに対向する第２垂直面３２Ｂと、拡散板５０側からバックライトシャーシ１０側に向けて広がるように延伸する第１傾斜面３２Ｃ及び第２傾斜面３２Ｄとを含んでいる。
【００２６】
第１垂直面３２Ａ及び第２垂直面３２Ｂは、それぞれ三角形状に形成され、支持ピン３２の一側面を構成する。また第１垂直面３２Ａ及び第２垂直面３２Ｂは、互いに平行に配置され、表示面に対して垂直に配置されている。第１傾斜面３２Ｃ及び第２傾斜面３２Ｄは、それぞれ長方形状に形成され、支持ピン３２の一側面を構成する。また第１傾斜面３２Ｃ及び第２傾斜面３２Ｄは、基材３１上において互いに離れて配置され、先端において互いに接続して配置される。支持ピン３２の形状はこれに限定されない。例えば、支持ピン３２は、先端側が先細状に形成された円錐形状、角錐形状、楕円形状であってもよいし、円柱状、角柱状、球状などであってもよい。
【００２７】
ここで、支持部材３０は、図３に示すように、表示装置１を平面的に見て、バックライトシャーシ１０において、隣り合う２つの光源２０を最短距離Ｌ１で結ぶ直線上に配置されている。すなわち、支持部材３０は、斜め方向に隣り合う２つの光源２０を結ぶ対角線上は配置されていない。また、支持部材３０は、表示装置１を平面的に見て、第１垂直面３２Ａ及び第２垂直面３２Ｂが、隣り合う２つの光源２０を結ぶ直線に直交する位置に配置されている。具体的には、支持部材３０は、支持部材３０の列方向の中心が、隣り合う２つの光源２０を最短距離Ｌ１で結ぶ直線上に位置するように配置されている。また支持部材３０は、千鳥状に、光源２０の間に配置されている。これにより、拡散板５０が支持部材３０に接触した場合に、各支持部材３０が負担する拡散板５０の重みを分散させることができるため、表示画面における輝度ムラを抑制することができる。
【００２８】
図５には、図３の一部（点線枠Ｐ）を矢印方向Ｐ１から見た側面図を示している。図５に示すように、支持部材３０は、隣り合う２つの光源２０の間（中心）に配置され、第１垂直面３２Ａは、一方（左側）の光源２０に対向するように配置され、第２垂直面３２Ｂは、他方（右側）の光源２０に対向するように配置されている。これにより、例えば支持部材３０の両側に配置された光源２０から出射された高強度の光の一部が支持ピン３２の内部に入射され、支持ピン３２の内部に入射された光のうち臨界角を超えない光は支持ピン３２を透過し、臨界角を超える光は支持ピン３２の内部で反射をする。また、支持部材３０に対して斜め方向に配置された光源２０から出射された低強度の光の一部が支持ピン３２の内部に入射され、支持ピン３２の内部に入射された光のうち臨界角を超えない光は支持ピン３２を透過し、臨界角を超える光は支持ピン３２の内部で反射をする。例えば、バックライト２００内部において乱反射する光が、屈折率が小さい空気層（屈折率１）から屈折率が大きい支持ピン３２（アクリル屈折率１．４９）に進入すると、空気層との境界において臨界角を超える光が反射して支持ピン３２の内部で導光される。このようにして、支持ピン３２の内部で反射する光は、反射を繰り返しながら支持ピン３２の先端方向に伝播される。
【００２９】
また支持ピン３２は、先端側である拡散板５０の近傍に粗面部３２１を備えている（図２参照）。例えば図４に示す例では、支持ピン３２は、先端側に第１粗面部３２１Ｃ及び第２粗面部３２１Ｄを備えている。第１粗面部３２１Ｃは、第１傾斜面３２Ｃの先端側に配置されており、第２粗面部３２１Ｄは、第２傾斜面３２Ｄの先端側に配置されている。粗面部３２１は、支持ピン３２の一部（先端側）に粗面加工を施すことにより形成されてもよいし、ドットパターンが印刷されたシートを支持ピン３２の一部（先端側）に貼り付けることにより形成されてもよい。図４に示す例では、第１粗面部３２１Ｃは、支持ピン３２の第１傾斜面３２Ｃの一部（先端側）に粗面加工を施すことにより形成され、第２粗面部３２１Ｄは、支持ピン３２の第２傾斜面３２Ｄの一部（先端側）に粗面加工を施すことにより形成されている。粗面部３２１、第１粗面部３２１Ｃ、及び第２粗面部３２１Ｄのそれぞれは、本発明の拡散部の一例である。
【００３０】
粗面部３２１は、支持ピン３２の内部に入射され、先端側に伝播（導光）された光を外部に拡散させて出射させる拡散機能を有する。例えば図６に示すように、光源２０から出射された光Ｒ１（ＬＥＤ光）は、一部が支持部材３０の支持ピン３２の内部に入射され、一部が支持ピン３２に反射される。支持ピン３２の内部に入射された光は、支持ピン３２の内部で反射を繰り返しながら支持ピン３２の先端側に伝播（導光）される。支持ピン３２の先端側に伝播された光は、第１粗面部３２１Ｃ及び第２粗面部３２１Ｄから外部に出射される。第１粗面部３２１Ｃ及び第２粗面部３２１Ｄから外部に出射された光Ｒ２は、図６に示すように、第１粗面部３２１Ｃ及び第２粗面部３２１Ｄによる拡散機能により拡散されて出射される。支持部材３０から出射された光Ｒ２（拡散光）は、拡散板５０に入射される。
【００３１】
上記の構成によれば、支持部材３０に入射された光を高効率に支持部材３０から取り出すことができるとともに、支持部材３０から取り出した光（拡散光）を、拡散板５０に入射させることができる。そして、拡散板５０における支持部材３０が配置される位置に、効率良く光Ｒ２を入射させることができる。よって、支持部材３０が拡散板５０に接触する部分における表示画面の輝度ムラを抑制することができる。また、表示領域全体の輝度の均一化を図ることができる。また、今後、ＬＥＤの性能の向上に伴って光源数が削減されたり、表示装置１の薄型化が進展したとしても、上記の構成によれば、支持部材３０に設けられた粗面部３２１の拡散機能により、前記輝度ムラを抑制し、輝度の均一化を図ることが可能となる。
【００３２】
ここで、支持部材３０の支持ピン３２を構成する第１垂直面３２Ａ、第２垂直面３２Ｂ、第１傾斜面３２Ｃ、及び第２傾斜面３２Ｄは、反射シート４０の背面から開口部４２（図１参照）を貫通して表示パネル１００側に突出して配置されている。このため、反射シート４０は、支持ピン３２（第１垂直面３２Ａ、第２垂直面３２Ｂ、第１傾斜面３２Ｃ、及び第２傾斜面３２Ｄ）よりもバックライトシャーシ１０側、かつ基材３１、第１接着層３３、反射層３４、及び第２接着層３５よりも表示パネル１００側に配置されている。すなわち、基材３１、第１接着層３３、反射層３４、及び第２接着層３５は、反射シート４０よりもバックライトシャーシ１０側に配置されている。
【００３３】
また図７に示すように、支持部材３０の反射層３４は、反射シート４０よりもバックライトシャーシ１０側に配置され、かつ反射シート４０の開口部４２から露出するように配置されている。すなわち、平面的に見て、開口部４２は、反射シート４０の背面側から反射層３４により覆われている。これにより、図７に示すように、光源２０から出射された光Ｒ１の一部が開口部４２に入射された場合に、反射層３４により反射され、反射された光Ｒ３は、直接又は支持部材３０の内部に伝播されて、拡散板５０に入射される。これにより、光Ｒ１の開口部４２による損失を抑制することができるため、光源２０から出射される光の利用効率を高めることができる。なお、図７に示すように、反射シート４０の開口部４２の端部は、支持部材３０の基材３１上に載置されて固定される。これにより、平面的に見て、開口部４２の隙間を反射層３４で確実に覆うことができる。
【００３４】
本発明は上述の実施形態に限定されない。例えば、支持部材３０の第１垂直面３２Ａ及び第２垂直面３２Ｂの表面に鏡面加工が施されてもよい。これにより、光源２０から出射された光Ｒ１は、第１垂直面３２Ａ及び第２垂直面３２Ｂにより反射されて拡散板５０に入射される。
【００３５】
本発明の拡散部の実施例を以下に示す。以下の各図では、支持ピン３２における粗面部３２１を含む一部を示し、他の部分は図示を省略する。
【００３６】
図８Ａ及び図８Ｂは実施例１に係る粗面部３２１の構成を示す図である。図８Ａは実施例１に係る支持ピン３２の側面図であり、図８Ｂは図８Ａの支持ピン３２を矢印方向Ｐ２から見た正面図である。粗面部３２１は、曲面状（半球状）の凸部（突起）が複数形成された構成を有する。凸部の形状は、曲面状に限定されず、矩形状であってもよい。また複数の凸部は等間隔に配置されてもよいし、ランダムに配置されてもよい。粗面部３２１は、例えば成型金型により形成することが可能である。
【００３７】
図９Ａ及び図９Ｂは実施例２に係る粗面部３２１の構成を示す図である。図９Ａは実施例２に係る支持ピン３２の側面図であり、図９Ｂは図９Ａの支持ピン３２を矢印方向Ｐ２から見た正面図である。粗面部３２１は、曲面状（半球状）の凹部が複数形成された構成を有する。凹部の形状は、曲面状に限定されず、矩形状であってもよい。また複数の凹部は等間隔に配置されてもよいし、ランダムに配置されてもよい。粗面部３２１は、例えば成型金型又はレーザー加工により形成することが可能である。
【００３８】
図１０Ａ及び図１０Ｂは実施例３に係る粗面部３２１の構成を示す図である。図１０Ａは実施例３に係る支持ピン３２の側面図であり、図１０Ｂは図１０Ａの支持ピン３２を矢印方向Ｐ２から見た正面図である。粗面部３２１は、山型の凸部（突起）が複数形成された構成を有する。凸部の形状は、三角形状に限定されず、矩形状であってもよい。また横方向に延びる複数の凸部は互いに平行でなくてもよい。また複数の凸部は、縦方向又は斜め方向に延びて形成されてもよい。粗面部３２１は、例えば成型金型により形成することが可能である。
【００３９】
図１１Ａ及び図１１Ｂは実施例４に係る粗面部３２１の構成を示す図である。図１１Ａは実施例４に係る支持ピン３２の側面図であり、図１１Ｂは図１１Ａの支持ピン３２を矢印方向Ｐ２から見た正面図である。粗面部３２１は、谷型の凹部が複数形成された構成を有する。凹部の形状は、三角形状に限定されず、矩形状であってもよい。また横方向に延びる複数の凹部は互いに平行でなくてもよい。また複数の凹部は、縦方向又は斜め方向に延びて形成されてもよい。粗面部３２１は、例えば成型金型又はレーザー加工により形成することが可能である。
【００４０】
本発明の拡散部は、粗面加工により形成される前記粗面部に限定されず、導光板のパターンに使用されるシルク印刷などの印刷加工により形成されてもよい。
【００４１】
尚、本発明に係る表示装置１は、各請求項に記載された発明の範囲において、以上に示された各実施形態を自由に組み合わせること、或いは各実施形態を適宜、変形又は一部を省略することによって構成されることも可能である。
【符号の説明】
【００４２】
１        ：表示装置
１０      ：バックライトシャーシ
２０      ：光源
２１      ：基板
３０      ：支持部材
３１      ：基材
３２      ：支持ピン
３２Ａ    ：第１垂直面
３２Ｂ    ：第２垂直面
３２Ｃ    ：第１傾斜面
３２Ｄ    ：第２傾斜面
３３      ：第１接着層
３４      ：反射層
３５      ：第２接着層
４０      ：反射シート
４１      ：開口部
４２      ：開口部
５０      ：拡散板
６１      ：光学シート
６２      ：光学シート
１００    ：表示パネル
２００    ：バックライト
３００    ：ベゼル
３２１    ：粗面部
３２１Ｃ  ：第１粗面部
３２１Ｄ  ：第２粗面部
【図１】
2020181694.tif 000003
【図２】
2020181694.tif 000004
【図３】
2020181694.tif 000005
【図４】
2020181694.tif 000006
【図５】
2020181694.tif 000007
【図６】
2020181694.tif 000008
【図７】
2020181694.tif 000009
【図８Ａ】
2020181694.tif 000010
【図８Ｂ】
2020181694.tif 000011
【図９Ａ】
2020181694.tif 000012
【図９Ｂ】
2020181694.tif 000013
【図１０Ａ】
2020181694.tif 000014
【図１０Ｂ】
2020181694.tif 000015
【図１１Ａ】
2020181694.tif 000016
【図１１Ｂ】
2020181694.tif 000017